(57)【要約】  【課題】  利便性を低下させることなく、より確実に電力の逆流を防止することができる発電システムを提供する。  【解決手段】  本発明の発電システム１には、発電部１０と、余剰電力使用部１２と、検知部１３と、制御部１５とが設けられ、検知部１３は出力値Ｓを出力し、外部電源８０の引き込み線８０ａの電力の流れを確認できる。さらに、出力値Ｓの異常を検出することができる出力値異常検知手段が設けられて、出力値Ｓの異常が検出された場合には、発電部１０が運転している状態であって余剰電力使用部１２の使用電力Ｅが発電部１０の発電量Ｈよりも大きくなるようにする発電電力完全使用モードとなるように、発電部１０及び余剰電力使用部１２の少なくともいずれか一方の運転状態を強制的に変更する。【選択図】  図１
2006280097.tif 000002
【特許請求の範囲】
【請求項１】
発電可能な発電部と、使用電力を可変させることができる余剰電力使用部と、前記発電部及び余剰電力使用部の運転を制御することができる制御部とを有し、前記発電部及び余剰電力使用部は、外部電源及び電力使用装置と接続されており、
外部電源は、外部から電気を供給することができるものであり、電力使用装置は、発電部及び外部電源から供給される電気を使用することができるものであり、外部電源の引き込み線での電力の流れの方向を確認することができる検知部が設けられ、検知部によって出力される出力値により外部電源の引き込み線での電力の流れの方向を確認することができ、
さらに、前記出力値の異常を検出することができる出力値異常検知手段が設けられて、出力値の異常が検出された場合には、発電部が運転している状態であって余剰電力使用部の使用電力が発電部の発電量よりも大きくなるようにする発電電力完全使用モードとなるように、発電部及び余剰電力使用部の少なくともいずれか一方の運転状態を強制的に変更するよう制御されるものであることを特徴とする発電システム。
【請求項２】
発電部の発電量は定格出力で一定であり、発電電力完全使用モードに運転状態を変更する場合には、発電部の定格出力電力以上の使用電力となるように、余剰電力使用部を稼働させるように制御するものであることを特徴とする請求項１に記載の発電システム。
【請求項３】
発電部は発電可能であって発電量を可変することができ、発電電力完全使用モードに運転状態を変更する場合には、発電部が稼働している状態で発電量を低下させて、当該発電量が余剰電力使用部の使用電力以下となるようにするものであることを特徴とする請求項１に記載の発電システム。
【請求項４】
検知部は、入力部、演算部及び出力部が設けられており、入力部から入力されたデータが演算部で演算されて出力部から出力値を出力するものであり、出力値異常検知手段により出力値の異常が検出された場合には、演算部を初期化するものであることを特徴とする請求項１〜３のいずれかに記載の発電システム。
【請求項５】
演算部を初期化した後に再び出力値の異常を確認し、出力値に異常が確認されなかった場合には、発電電力完全使用モードを解除することを特徴とする請求項４に記載の発電システム。
【発明の詳細な説明】
【技術分野】
【０００１】
本発明は発電システムに関するものである。
【背景技術】
【０００２】
従来より、発電システムが用いられている。そして、発電システムは、エンジンなどを運転して発電及び発熱させ、発電によって発生した電気を外部に設置された電化製品などに用い、また、発熱によって発生した熱を暖房や給湯などに用いる。
【０００３】
電化製品などの電力使用量とエンジンなどで発電した発電量とを、できるだけ差を無くすのが望ましいが、使用者の電気使用量を完全に予測することができない。そのため、このような電化製品は、外部の電源である商用電源の電気も使用することができる構成となっており、電気の使用量が多い場合には、商用電源から不足分の電気を供給する。そして、利便性を維持しつつ、省エネルギーを図ることが行われている。
【０００４】
このような発電システムは、特許文献１等に記載されている。
【特許文献１】特開２００４−９２４５８号公報
【発明の開示】
【発明が解決しようとする課題】
【０００５】
電化製品の電気の使用量が少ない場合には発電された電気が余るが、上記したように、商用電源と接続されている場合には、この発電された電力が商用電源側に逆流するおそれがある。
【０００６】
発電された電力が商用電源側に逆流した場合、商用電源側の電圧上昇などにより問題となる場合がある。そのため、このような電力の逆流をできるだけ発生させないようにする必要がある。また、仮に電力の逆流が発生した場合にも、所定の時間内（例えば３５０ミリ秒以内）として、このような問題が発生しないようにする必要がある。
そのため、商用電源の引き込み線の電力を監視し、また、余剰電力使用部（例えばヒータ）を接続する構成として、電力の逆流の発生、又は、発生するおそれがある場合に、この余剰電力使用部を作動させて電気を有効に使用してエネルギーを無駄にすることなく、電力の逆流を防止するようにしている。
【０００７】
この監視の方法として、引き込み線に流れる電力を、カレントトランスと電力検出用ＩＣを用いて確認する方法がある。具体的には、カレントトランスを商用電源の引き込み線に設置し、カレントトランスを電力検出用ＩＣに接続して引き込み線での電流データを電力検出用ＩＣに入力する。また、電力検出用ＩＣに、商用電源の電圧データを入力する。そして、入力された電流データと電圧データとによって、電力検出用ＩＣで演算し、電力値を出力するものである。
そして、電力検出用ＩＣから出力される出力値により発電部や余剰電力使用部を制御し、電力の逆流を防止することができる。
【０００８】
しかしながら、電力検出用ＩＣが、ノイズなどにより正しく演算することができなくなったり、故障したりしている場合には、正しい出力値を出力することができなくなり、エンジンや余剰電力使用部の正しい制御が困難となってしまう。
そして、このような場合に、誤った制御が行われることにより、電力の逆流を発生させてしまうおそれがある。
【０００９】
また、電力検出用ＩＣの出力値が異常であるかどうかを判断して、出力値が異常であると判断された場合に発電部を停止する制御を行うことにより、電力の逆流を防止することが考えられる。しかし、かかる場合には、電力検出用ＩＣが故障している場合のみならず、電力検出用ＩＣは故障していないが単にノイズなどにより異常な出力がされている場合にも発電部が停止してしまい、発電システムの利便性が低下してしまうことになる。
さらに、このような一連の制御を行うには、一定の時間が必要であり、この間に電力の逆流が発生するおそれもある。
【００１０】
そこで、本発明は、利便性を低下させることなく、発電した電力が外部の電源である商用電源へ流れるという、電力の逆流が発生しないようにすることができる発電システムを提供することを課題とするものである。
【課題を解決するための手段】
【００１１】
そして、上記した目的を達成するための請求項１に記載の発明は、発電可能な発電部と、使用電力を可変させることができる余剰電力使用部と、前記発電部及び余剰電力使用部の運転を制御することができる制御部とを有し、前記発電部及び余剰電力使用部は、外部電源及び電力使用装置と接続されており、外部電源は、外部から電気を供給することができるものであり、電力使用装置は、発電部及び外部電源から供給される電気を使用することができるものであり、外部電源の引き込み線の電力の流れを確認することができる検知部が設けられ、検知部によって出力される出力値により外部電源の引き込み線での電力の流れを確認することができ、さらに、前記出力値の異常を検出することができる出力値異常検知手段が設けられて、出力値の異常が検出された場合には、発電部が運転している状態であって余剰電力使用部の使用電力が発電部の発電量よりも大きくなるようにする発電電力完全使用モードとなるように、発電部及び余剰電力使用部の少なくともいずれか一方の運転状態を強制的に変更するよう制御されるものであることを特徴とする発電システムである。
【００１２】
請求項１に記載の発明によれば、検知部によって出力される出力値により外部電源の引き込み線での電力の流れを確認することができ、さらに、前記出力値の異常を検出することができる出力値異常検知手段が設けられて、出力値の異常が検出された場合には、発電電力完全使用モードとなるので、出力値が異常である場合にも電力の逆流を防ぐことができる。
【００１３】
請求項２に記載の発明は、発電部の発電量は定格出力で一定であり、発電電力完全使用モードに運転状態を変更する場合には、発電部の定格出力電力以上の使用電力となるように、余剰電力使用部を稼働させるように制御するものであることを特徴とする請求項１に記載の発電システムである。
【００１４】
請求項２に記載の発電システムのように、発電量は定格出力で一定の発電部の場合には、発電部の定格出力電力以上の使用電力となるように余剰電力使用部を稼働させて発電電力完全使用モードにすることにより、発電電力完全使用モードの状態にする際に発電部の発電量を確認する必要がない。
【００１５】
請求項３に記載の発明は、発電部は発電可能であって発電量を可変することができ、発電電力完全使用モードに運転状態を変更する場合には、発電部が稼働している状態で発電量を低下させて、当該発電量が余剰電力使用部の使用電力以下となるようにするものであることを特徴とする請求項１に記載の発電システムである。
【００１６】
請求項３に記載の発電システムのように、発電部は発電可能であって発電量を可変することができる場合には、発電部が稼働している状態で発電量を低下させて、当該発電量が余剰電力使用部の使用電力以下となるようにすることにより、発電電力完全使用モードの際の余剰電力使用部での使用電力を小さくすることができる。
【００１７】
請求項４に記載の発明は、検知部は、入力部、演算部及び出力部が設けられており、入力部から入力されたデータが演算部で演算されて出力部から出力値を出力するものであり、出力値異常検知手段により出力値の異常が検出された場合には、演算部を初期化するものであることを特徴とする請求項１〜３のいずれかに記載の発電システムである。
ここで、演算部の初期化の手段は、どのようなものであってもよく、制御部と電力検出用ＩＣとを通信可能として制御部から送出するリセットコマンドにより電力検出用ＩＣが初期化するものや、演算部にリセット回路を設けておき、制御部から指令によりこのリセット回路を動作させるようにするものや、電力検出用ＩＣの電源のオンオフを制御部によって行うようにし、電力検出用ＩＣへの電力の供給を一旦遮断して、再び、電力検出用ＩＣの電力を供給するようにしてもよく、さらに、これらの方法は、単独で用いても良く、また、複数の方法を用いてもよい。
【００１８】
請求項４に記載の発明によれば、出力値Ｓの異常がノイズなどによる場合など、初期化すれば正常に戻る場合に、検知部の演算部の初期化を行うことにより、引き続き、発電部による発電を継続させることができる。また、この間は、出力値Ｓの異常が継続することになるが、発電電力完全使用モードとなっているので、電力の逆流は発生しない。
【００１９】
請求項５に記載の発明は、演算部を初期化した後に再び出力値の異常を確認し、出力値に異常が確認されなかった場合には、発電電力完全使用モードを解除することを特徴とする請求項４に記載の発電システムである。
【００２０】
請求項５に記載の発明によれば、演算部を初期化した後に再び出力値の異常を確認し、出力値に異常が確認されなかった場合には、発電電力完全使用モードを解除するので、電力の逆流を発生させることなく、通常の運転に戻すことができる。
【発明の効果】
【００２１】
本発明の発電システムによれば、利便性を低下させることなく、発電した電力が外部の電源である商用電源へ流れるという、電力の逆流が発生しないようにすることができる。
【発明を実施するための最良の形態】
【００２２】
以下さらに本発明の具体的実施例について説明する。図１は、本発明の発電システムを示すブロック図である。図２は、本発明の発電システムの制御を示すフローチャートである。図３は、電力検出用ＩＣを示すブロック図である。
【００２３】
本発明の第１の実施形態における発電システム１は、図１に示されるように、発電部１０、余剰電力使用部１２、検知部１３、熱貯留部１４、制御部１５、報知部１６が設けられている。
【００２４】
発電部１０は、具体的には燃料によって運転を行うことができるエンジンであり、発電部１０を運転させることによって、発電及び発熱し、電気と熱を供給することができる。
そして、発電部１０は余剰電力使用部１２と接続されて余剰電力使用部１２に電気を供給することができ、さらに、発電部１０及び余剰電力使用部１２は、配電盤８４を介して外部電源８０や電力使用装置８１と接続されている。
【００２５】
また、熱貯留部１４は、外部に設けられた熱使用装置８２に接続されており、熱貯留部１４の熱を熱使用装置８２へ供給することができる。熱使用装置８２は、具体的には給湯装置である。
【００２６】
外部電源８０は、外部から電気を供給することができるものであって、具体的には商用電源が接続される。また、この発電システム１と外部電源８０とは引き込み線８０ａを介して接続され、外部電源８０から供給される電気は全て引き込み線８０ａを流れる。そして、外部電源８０は、配電盤８４を介して、電力使用装置８１、発電部１０、余剰電力使用部１２と、常時、接続されている。
また、電力使用装置８１は、外部に設置される装置であり、発電部１０及び外部電源８０から供給される電気を使用することができるものである。具体的には、冷蔵庫や洗濯機などの家電製品である。
【００２７】
余剰電力使用部１２は、具体的には電気ヒータであり、複数の電気ヒータが使用されている。そして、余剰電力使用部１２は、タンクである熱貯留部１４内に配置され、熱貯留部１４内の熱媒体である水を加熱することができる。
【００２８】
検知部１３は、カレントトランス１３ａと、電力検出用ＩＣ１３ｂとを有している。そして、検知部１３から電力出力値Ｓ及び電流出力値Ｉが出力され、電力出力値Ｓにより外部電源８０の引き込み線８０ａに流れる電力を確認することができ、電流出力値Ｉにより外部電源８０の引き込み線８０ａに流れる電流を確認することができ、外部電源８０に対して流出入する電流又は電力を確認することができる。
【００２９】
カレントトランス１３ａは、引き込み線８０ａ付近に設置され、引き込み線８０ａの電流に応じて検出電流データが出力される。
電力検出用ＩＣ１３ｂは、図３に示されるように、入力部４０、演算部４１、出力部４２を有している。そして、カレントトランス１３ａの出力側の配線は電力検出用ＩＣ１３ｂの入力部４０に接続されており、カレントトランス１３ａから出力された交流の電圧信号（電流信号が電圧に変換されたもの）が入力部４０から入力される。
また、発電システム１内の配線の電圧の位相は、外部電源８０に同期しており、図１に示されるように、電力検出用ＩＣ１３ｂの入力部４０を発電システム１内の配線に接続することにより、外部電源８０の出力電圧データが電力検出用ＩＣ１３ｂに入力される。
【００３０】
そして、カレントトランス１３ａから出力された交流の電圧信号（電流信号が電圧に変換されたもの）と、外部電源８０の電圧信号とが入力部４０に入力され、入力部４０から入力された信号が演算部４１により演算され、演算された結果に基づいて出力部４２から電力出力値Ｓ及び電流出力値Ｉが出力される。
電力検出用ＩＣ１３ｂの演算部４１での具体的な演算は、カレントトランス１３ａから出力された交流の電圧信号をＡ／Ｄ変換し、また、外部電源８０の電圧信号をＡ／Ｄ変換して、これらを乗じ、この乗じた値に基づいて電力出力値Ｓが演算される。
また、カレントトランス１３ａから出力された交流の電圧信号をＡ／Ｄ変換し、この値を２乗し、所定の周期で積算して平均した値に基づいて電流出力値Ｉが演算される。
出力部４２は制御部１５につながっており、この出力値Ｓは出力部４２から制御部１５に出力される。
【００３１】
このように演算されるので、電力出力値Ｓは正〜負の値の範囲で出力される。また、電流出力値Ｉは０以上の値の範囲で出力される。そして、電力出力値Ｓの絶対値は引き込み線８０ａの電力に比例し、また、電力出力値Ｓの値の正負の符号は、引き込み線８０ａでの電力の流れの方向に対応し、電力の逆流が発生しているかどうかを判断することができる。また、引き込み線８０ａの電流値が大きくなるほど、電流出力値Ｉが大きくなる。
【００３２】
なお、カレントトランス１３ａの引き込み線８０ａに設置される向きによって、電力出力値Ｓの正負の符号は反対となり、電力の逆流が発生しているかどうかの判断が逆となってしまうこととなる。
そのため、発電システム１を設置する際に、発電部１０を作動させずに余剰電力使用部１２を作動させて電力出力値Ｓの値が正の値か負の値かどうかを確認して、制御部１５などに設けられた図示しない記憶部などにこの情報を記憶しておく。そして、実使用時に電力出力値Ｓがこの記録された正負の符号と合致した場合には、電力の流れは正常、合致しない場合には電力が逆流していると判定する。
【００３３】
検知部１３はこのようなものを用いているので、引き込み線８０ａを切断することなく非接触でカレントトランス１３ａを設置することができ、電力出力値Ｓを確認することができる。
【００３４】
熱貯留部１４は、具体的には水を加熱することにより生成した湯を貯留することができるタンクであり、使用者はこの湯を用いることができる。水の加熱は、発電部１０の運転の際に発生する熱や、余剰電力使用部１２を使用する場合に発生する熱を用いて行われる。余剰電力使用部１２の熱を用いる場合、エンジンを循環する循環水を加熱して、この加熱された熱を用いて、熱貯留部１４内の水を加熱することができる。
さらに、熱貯留部１４で貯留された熱は、外部に設けられた熱使用装置８２で使用することができる。熱使用装置８２の例としては、給湯装置などがある。
【００３５】
制御部１５は、発電部１０及び余剰電力使用部１２の運転を制御するものである。そして、制御部１５によって、発電部１０及び余剰電力使用部１２の稼働状態・停止状態の選択や、稼働状態の場合での発電量Ｈや使用電力Ｅなどの調整を行うことができる。
本実施形態のように、発電部１０がガスエンジンの場合には、発電部１０が運転状態の時には発電量Ｈがほぼ一定値であるので、必要に応じて余剰電力使用部１２の使用電力Ｅを調整する。また、発電部１０が燃料電池の場合には、発電量Ｈを変更することができるので、発電部１０の発電量Ｈ及び余剰電力使用部１２の使用電力Ｅの一方又は両方を必要に応じて調整する。
【００３６】
制御部１５は、検知部１３によって検知される電力出力値Ｓや電流出力値Ｉによって制御が行われている。この電力出力値Ｓや電流出力値Ｉは、前記したように、引き込み線８０ａの電力や電流に対応して増加・減少するものであり、外部電源８０から供給される電力をできるだけ小さくするようにして、省エネルギーとなるように発電部１０や余剰電力使用部１２の運転の制御が行われる。
【００３７】
そして、検知部１３による出力値Ｓなどにより、発電部１０や、余剰電力使用部１２の運転を制御する。また、この制御部１５による制御は、他の条件、例えば、電気や熱の必要量を予測した値を用いて発電部１０や、余剰電力使用部１２を制御することもできる。
【００３８】
上記のように、検知部１３は、電力出力値Ｓを出力し、引き込み線８０ａでの電力の流れの方向を確認して電力の逆流が発生しているかどうかを判断し、また、発電部１０や、余剰電力使用部１２の運転を制御するのに必要なものである。
しかしながら、電力検出用ＩＣ１３ｂが異常な状態となると、正しい電力出力値Ｓを出力できなくなり、正しい制御が行われず電力の逆流が発生するおそれがある。
【００３９】
そのため、本実施形態の発電システム１では、電力出力値Ｓの異常を検出することができる出力値異常検知手段が設けられており、電力出力値Ｓの異常が検出された場合には、発電電力完全使用モードとして、電力の逆流が発生しない状態とする。
ここで電力出力値Ｓの異常とは、周期的に行われる電力出力値Ｓの変化が不規則になることなどである。例えば、極大値、極小値、０値などの特異点の発生周期が所定の周期とならなくなったり、特異点の発生が不規則となったりする場合などである。
【００４０】
発電電力完全使用モードは、発電部１０が運転している状態で、余剰電力使用部１２の使用電力Ｅが発電部１０の発電量Ｈよりも大きくなるようにするものである。
そして、本実施形態の発電システム１の発電部１０にはガスエンジンが用いられており、発電部１０での発電量Ｈは運転中はほぼ一定であるので、余剰電力使用部１２の使用電力Ｅを発電量Ｈ以上に強制的に大きくする操作が行われる。また、この場合、実際の発電量Ｈを確認して、それに基づいて使用電力Ｅを判断してもよいが、発電部１０の発電量Ｈは定格出力電力でほぼ一定であるので、使用電力Ｅを定格出力電力以上にするようにしてもよい。
【００４１】
なお、発電部１０に燃料電池などを用いている場合には、発電部１０の運転中の発電量Ｈを可変させることができるので、発電電力完全使用モードの場合には、発電部１０での発電量Ｈを低下させつつ、余剰電力使用部１２の使用電力Ｅを、低下させた後の発電量Ｈ以上に変更する操作を行うようにすることもできる。
【００４２】
発電電力完全使用モードでは、発電量Ｈは使用電力Ｅと同じ、または、使用電力Ｅよりも小さいので、発電部１０で発電された電力は全て余剰電力使用部１２で使用される。そのため、外部に設置される装置である電力使用装置８１の使用電力量に関係なく、電力の逆流が発生しない状態となる。
また、出力値異常検知手段により、電力出力値Ｓの異常が検知されると、発電電力完全使用モードとなるが、このモードへの変更は使用電力Ｅや発電量Ｈを変えるだけであるので、すばやい変更が可能であり、電力の逆流をより確実に防止することができる。
【００４３】
出力値異常検知手段は、電力出力値Ｓが通常出力されるものとは異なるものを出力することを検知してもよく、また、電力出力値Ｓが通常出力するものが出力されなくなったことを検知してもよい。本実施形態の出力値異常検知手段では、電力出力値Ｓは一定の周期（外部電源８０の交流周期）でゼロクロスが発生するので、これを常に確認しておき、この周期のずれ、ゼロクロス出力の欠落、あるいはゼロクロス出力の停止などを確認することにより電力出力値Ｓの異常と判断している。
【００４４】
また、電力出力値Ｓが異常となるのは、電力検出用ＩＣ１３ｂが故障している場合のみならず、電力検出用ＩＣ１３ｂは故障していないが、ノイズなどにより異常な出力がされている場合もある。後者の場合には、電力検出用ＩＣ１３ｂをリセットするなどして初期化すれば正常に機能する。
そこで、本実施形態では、出力値異常検知手段により電力出力値Ｓの異常を検知した場合には、電力検出用ＩＣ１３ｂが初期化される。
【００４５】
本実施形態の電力検出用ＩＣ１３ｂの初期化の方法は、制御部１５と電力検出用ＩＣ１３ｂとを通信可能として、制御部１５から送出するリセットコマンドを電力検出用ＩＣ１３ｂで受信可能としておく。そして、出力値異常検知手段により出力値Ｓの異常を検知した場合には、制御部１５からリセットコマンドが送出され、このリセットコマンドを電力検出用ＩＣ１３ｂが受信すると、演算部４１のソフトウエア上で初期化コマンドが実行され、電力検出用ＩＣ１３ｂが自ら初期化を行う。
【００４６】
また、電力検出用ＩＣ１３ｂの初期化の方法として、他の方法を用いることができる。例えば、演算部４１をハードウエア的にリセットすることが可能なリセット回路を設けておき、制御部１５からこのリセット回路を動作させることができるようにしておく。そして、出力値異常検知手段により電力出力値Ｓの異常を検知した場合には、制御部１５からこのリセット回路を動作させて電力検出用ＩＣ１３ｂを初期化する。この方法では、演算部４１がフリーズしている場合にも初期化が可能である。
【００４７】
さらに、他の例として、電力検出用ＩＣ１３ｂの電源のオンオフを制御部１５によって行うようにできるようにしておく。そして、出力値異常検知手段により出力値Ｓの異常を検知した場合には、制御部１５により、電力検出用ＩＣ１３ｂの電源をオフにして、電力検出用ＩＣ１３ｂへの電力の供給を一旦遮断して、再び、電力検出用ＩＣ１３ｂの電源をオンにして、電力検出用ＩＣ１３ｂを初期化する。
そして、上記した初期化の方法は、単独で用いても良く、また、複数の方法を用いてもよい。
【００４８】
本発明の発電システム１の具体的な制御は、以下の通りである。
図２に示すように、発電部１０を運転し（ＳＴＥＰ１）、出力される電力出力値Ｓを確認する（ＳＴＥＰ２）。そして、上記した出力値異常検知手段により、電力出力値Ｓの異常かどうかを判断する（ＳＴＥＰ３）。
電力出力値Ｓが異常であることを確認すると、ＳＴＥＰ４に進み、発電電力完全使用モードとなるように制御される。
また、電力出力値Ｓが異常でない場合には、再びＳＴＥＰ２に戻り、電力出力値Ｓの異常の確認を繰り返す。
【００４９】
ＳＴＥＰ４では、発電電力完全使用モードとなるように制御されるが、具体的には、余剰電力使用部１２を稼働させ、発電部１０の発電量Ｈが余剰電力使用部１２の使用電力Ｅと同じ、または、使用電力Ｅよりも小さくなるようにする。
【００５０】
そして、カウンタ値Ｎを０にし（ＳＴＥＰ５）、電力検出用ＩＣ１３ｂのリセットを行って初期化する（ＳＴＥＰ６）。
さらに、電力検出用ＩＣ１３ｂが初期化された後に、電力出力値Ｓを確認し（ＳＴＥＰ７）、上記した出力値異常検知手段により、電力出力値Ｓの異常かどうかを再び判断する（ＳＴＥＰ８）。
【００５１】
ＳＴＥＰ８で電力出力値Ｓの異常が確認されなかった場合には、ＳＴＥＰ９で発電電力完全使用モードを解除し、通常の制御を行うようにし、再びＳＴＥＰ２に戻り、電力出力値Ｓの異常の確認を繰り返す。
【００５２】
ＳＴＥＰ８で電力出力値Ｓの異常が確認された場合には、カウンタ値Ｎがあらかじめ設定された繰り返し値Ａに達したかどうか確認し（ＳＴＥＰ１０）、カウンタ値Ｎが繰り返し値Ａに達した場合には、発電部１０を停止する（ＳＴＥＰ１１）。また、カウンタ値Ｎが繰り返し値Ａに達していない場合には、カウンタ値ＮをＮ＋１として増加させ、ＳＴＥＰ６に戻って、電力検出用ＩＣ１３ｂのリセット操作を繰り返す。
【００５３】
本実施形態の発電システム１では、電力検出用ＩＣ１３ｂによる電力出力値Ｓの異常が確認されると、すぐに電力の逆流の発生のおそれのない発電電力完全使用モードとなるので電力の逆流を未然に防止し、また、電力出力値Ｓの異常の発見から発電電力完全使用モードの完了までの時間を短時間とすることができ、電力の逆流の許容時間（例えば３５０ミリ秒以内）とすることができる。
【００５４】
そして、本実施形態の発電システム１では、この発電電力完全使用モードの間に、電力検出用ＩＣ１３ｂをリセットして初期化し、電力出力値Ｓの異常な出力が電力検出用ＩＣ１３ｂの故障によるものでなくノイズなどが原因である場合に正常な状態に復帰させることが可能であるので、電力の逆流を発生させることなく、より長い時間の発電部１０の連続運転が可能である。
【図面の簡単な説明】
【００５５】
【図１】本発明の発電システムを示すブロック図である。
【図２】本発明の発電システムの制御を示すフローチャートである。
【図３】電力検出用ＩＣを示すブロック図である。
【符号の説明】
【００５６】
１    発電システム
１０  発電部
１２  余剰電力使用部
１３  検知部
１５  制御部
４０  入力部
４１  演算部
４２  出力部
８０  外部電源
８０ａ  引き込み線
８１  電力使用装置
Ｅ    使用電力
Ｈ    発電量
Ｓ    電力出力値
【図１】
2006280097.tif 000003
【図２】
2006280097.tif 000004
【図３】
2006280097.tif 000005